(57)【要約】【課題】室内機に接続されている室外機の種類によって機種が異なる場合に、安価に、機種とリモコン設定のマッチングの判断を行う空気調和装置の設定システムを提供する。【解決手段】空気調和装置の機種は、冷暖兼用室外機２と、冷房専用室外機３とがある。汎用リモコン３０の設定変更スイッチ３９では、空気調和装置の機種それぞれに対応する運転操作指示信号を送信し、実行させる。リモコン送信部３１では、設定変更スイッチ３９の設定状態に応じた運転操作指示信号を室内機１に向けて一方的に送信する。そして、室外機２の室外送信部２５は、接続された室内機１に対して自己の予め特定された所定機種情報を送信する。室内機１の判断部１５は、所定機種情報と運転操作指示信号とを対比して、汎用リモコン３０の設定と空気調和装置の機種とが対応しているか否かを判断する。【選択図】図５
2008096088.tif 000002
【特許請求の範囲】
【請求項１】
空気調和装置（１００、２００）の複数の機種を特定する複数の所定室外機（２、３）と、
前記複数の所定室外機（２、３）のいずれかと伴に冷媒回路を構成することで前記特定された機種の空気調和装置（１００、２００）を構成する汎用室内機（１）と、
前記空気調和装置（１００、２００）の複数の機種それぞれに対応する運転操作指示が可能であって前記運転操作指示の設定を機種に応じて切り換える設定切り換え部（３９）を有し、前記設定切り換え部（３９）の設定状態に応じた前記運転操作指示信号を前記汎用室内機（１）に向けて一方的に送信するリモコン送信部（３１）を有する汎用リモコン（３０）と、
を備え、
前記所定室外機（２、３）は、前記冷媒回路を伴に構成している前記汎用室内機（１）に対して自己の予め特定された所定機種情報を送信する室外送信部（２５）を有し、
前記汎用室内機（１）は、前記冷媒回路を伴に構成している前記所定室外機（２、３）の前記室外送信部（２５）から前記所定機種情報を受信する室外対応受信部（１３）と、前記汎用リモコン（３０）の前記リモコン送信部（３１）から前記運転操作指示信号を受信するリモコン対応受信部（１４）と、受信した前記所定機種情報と受信した前記運転操作指示信号とを対比することで前記汎用リモコンの設定が機種に対応しているか否かを判断する判断部（１５）と、前記判断部（１５）による判断結果に基づいて所定の報知を行う報知部（１７）と、を有する、
空気調和装置（１００、２００）の設定システム。
【請求項２】
前記汎用室内機（１）は、前記リモコン対応受信部（１４）が前記複数の所定室外機（２、３）のうち予め定められた既設定室外機（２、３）に対応する前記運転操作指示信号を受信した場合に、前記運転操作指示信号に基づいた運転制御を行う制御部（４０）をさらに有し、
前記報知部（１７）は、前記判断部（１５）によって前記既設定室外機（２、３）に対応する前記所定機種情報と前記運転操作指示信号とが対応していないと判断された場合に報知を行う、
請求項１に記載の空気調和装置（１００、２００）の設定システム。
【請求項３】
前記報知部（１７）は、音もしくは光の少なくともいずれか一方を発することにより報知する、
請求項１または２に記載の空気調和装置（１００、２００）の設定システム。
【請求項４】
前記所定室外機（２、３）の複数の機種としては、前記汎用室内機（１）と伴に冷媒回路を構成することで、冷房専用空気調和装置となる機種と、冷暖兼用空気調和装置となる機種と、が含まれる、
請求項１から３のいずれか１項に記載の空気調和装置（１００、２００）の設定システム。
【請求項５】
前記判断部（１５）は、前記汎用室内機（１）の前記リモコン対応受信部（１４）が前記リモコン送信部（３１）から前記運転操作指示信号として暖房を要求する信号を受信した場合において、前記汎用室内機（１）の前記室外対応受信部（１３）が前記所定機種情報として前記冷房専用空気調和装置に関する情報を受信している場合に、前記報知部（１７）に報知させる、
請求項４に記載の空気調和装置（１００、２００）の設定システム。
【発明の詳細な説明】
【技術分野】
【０００１】
本発明は、空気調和装置の設定システムに関する。
【背景技術】
【０００２】
従来より、空気調和装置の製造において、複数機種の空気調和装置が製造される場合に、これらの各機種の空気調和装置のいずれにも対応可能に使用される汎用コントローラが開発されている。このような空気調和装置の複数の機種としては、例えば、室外機が冷房専用タイプのもの、冷・暖房対応のヒートポンプ式のもの、および、冷・暖房能力の連続制御が可能な能力可変式のもの等がある。
【０００３】
例えば、以下の特許文献１に示すような、空気調和装置では、室外機のマイコンと室内機のマイコンとが双方向に通信可能に接続され、この室内機のマイコンとリモコンのマイコンとについても双方向に通信可能に接続されて構成されたのもが提案されている。この空気調和装置によると、室内機が室外機との双方向通信によって自己が接続されている室外機のタイプを把握し、タイプを把握した室内機は、その室外機のタイプのデータをリモコンに送信する。そして、リモコンは、送信されてきた室外機の操作設定を行い、設定された操作内容を室内機が把握できるように室内機にデータを送信する。これにより、複数の空気調和装置の機種が製造される場合であっても、汎用のリモコンを利用することで、各機種毎にリモコンを製造することが不要になり、製造コストを抑えることができている。
【特許文献１】特開昭６４−７０６４１号公報
【発明の開示】
【発明が解決しようとする課題】
【０００４】
しかし、上述した特許文献１に記載の空気調和装置では、機種に応じたリモコンの設定を行うためには、室内機とリモコンとの通信が双方向であることが前提となっており、室内機の通信部や、リモコンの通信部が、一方向の通信の場合と比較して高コストになってしまう。
【０００５】
また、リモコンから室内機に対する一方向の通信システムでは、リモコンを操作しているユーザは、リモコンの設定が空気調和装置の機種に対応した設定になっているのか否か把握することができない。このため、ユーザは、リモコンの設定が空気調和装置に対応せず誤った設定となっている場合には、その誤りに気付かず、空気調和装置の故障ではないかと勘違いしてしまうこともある。
【０００６】
本発明は、上述した点に鑑みてなされたものであり、本発明の課題は、室内機に接続されている室外機の種類によって機種が異なる空気調和装置において、機種に応じた操作設定が可能なリモコンを用いて室内機に対して一方向の信号送信を行うだけで、安価に、機種とリモコン設定のマッチングの判断を行うことが可能な空気調和装置の設定システムを提供することにある。
【課題を解決するための手段】
【０００７】
第１発明に係る空気調和装置の設定システムは、複数の所定室外機と、汎用室内機と、汎用リモコンとを備える。複数の所定室外機は、それぞれ空気調和装置の複数の機種を特定する。汎用室内機は、複数の所定室外機のいずれかと伴に冷媒回路を構成することで特定された機種の空気調和装置を構成する。汎用リモコンは、設定切り換え部と、リモコン送信部とを有している、設定切り換え部では、空気調和装置の複数の機種それぞれに対応する運転操作指示が可能であって運転操作指示の設定を機種に応じて切り換えが行われる。リモコン送信部では、設定切り換え部の設定状態に応じた運転操作指示信号を汎用室内機に向けて一方的に送信する。そして、所定室外機は、冷媒回路を伴に構成している汎用室内機に対して自己の予め特定された所定機種情報を送信する室外送信部を有している。汎用室内機は、冷媒回路を伴に構成している所定室外機の室外送信部から所定機種情報を受信する室外対応受信部と、汎用リモコンのリモコン送信部から運転操作指示信号を受信するリモコン対応受信部とを有している。そして、汎用室内機は、受信した所定機種情報と受信した運転操作指示信号とを対比することで汎用リモコンの設定が機種に対応しているか否かを判断する判断部と、判断部による判断結果に基づいて所定の報知を行う報知部とを有している。
【０００８】
ここでは、空気調和装置の機種は、汎用室内機と伴に冷媒回路を構成する所定室外機の種類によって決定されている。ここで、汎用室内機は、冷媒回路を伴に構成するように接続された室外送信部からの所定機種情報を室外対応受信部において受信することで、自己の空気調和装置の機種を把握する。
【０００９】
また、汎用リモコンは、これらのいずれかの組み合わせによる空気調和装置の機種に対しても、設定切り換え部による設定切り換えによって、操作可能となるようになっている。ここで、汎用リモコンは、操作信号を汎用室内機のリモコン対応受信部に対して一方的に送信するだけで、汎用室内機側からのデータ受信を行わない構成であり、安価に製造されるものである。
【００１０】
そして、汎用室内機の判断部は、所定室外機からの所定機種情報と、汎用リモコンからの運転操作指示信号とを対比することで、汎用リモコンの設定状態が、空気調和装置の機種に対応しているか否か判断する。そして、報知部は、汎用リモコンの設定状態について、空気調和装置の機種に対応しているか否かに関する報知を行う。このため、ユーザは、この報知部からの報知にしたがって、汎用リモコンの設定切り換え部の設定状態を切り換えたり維持したりすることで、汎用リモコンを空気調和装置の機種に対応させることができる。
【００１１】
これにより、ユーザは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００１２】
第２発明に係る空気調和装置の設定システムは、第１発明に係る空気調和装置の設定システムであって、汎用室内機は、リモコン対応受信部が複数の所定室外機のうち予め定められた既設定室外機に対応する運転操作指示信号を受信した場合に、運転操作指示信号に基づいた運転制御を行う制御部をさらに有している。報知部は、判断部によって既設定室外機に対応する所定機種情報と運転操作指示信号とが対応していないと判断された場合に報知を行う。
【００１３】
ここでは、報知部は、汎用リモコンの設定状況について、所定機種情報と運転操作指示信号とが対応している場合には報知を行うことなく、判断部によって所定機種情報と運転操作指示信号とが対応していないと判断された場合に報知を行う。また、汎用室内機の制御部は、リモコン対応受信部が複数の所定室外機のうち予め定められた既設定室外機に対応する運転操作指示信号を受信した場合に、運転操作指示信号に基づいた運転制御を行う。
【００１４】
これにより、ユーザは、報知があった場合にのみ汎用リモコンの設定切り換え部の切り換え動作を行えばよく、対応している場合には、特に報知されないためユーザは汎用リモコンの設定状況が空気調和装置の機種に対応しているか否かを特に意識することなく、汎用リモコンを操作し、操作通りの制御を空気調和装置に実行させることが可能になる。
【００１５】
第３発明に係る空気調和装置の設定システムは、第１発明または第２発明に係る空気調和装置の設定システムであって、報知部は、音もしくは光の少なくともいずれか一方を発することにより報知する。なお、ここでの音による報知としては、例えば、ブザー音やメロディ等による報知が含まれ、光による報知としては、例えば、ＬＥＤ表示、ドットマトリックスおよび液晶による表示等も含まれる。
【００１６】
ここでは、ユーザは、音もしくは光による報知によって、聴覚もしくは視覚を通じて容易に報知部からの報知を把握することが可能になる。
【００１７】
第４発明に係る空気調和装置の設定システムは、第１発明から第３発明のいずれかに係る空気調和装置の設定システムであって、所定室外機の複数の機種としては、汎用室内機と伴に冷媒回路を構成することで、冷房専用空気調和装置となる機種と、冷暖兼用空気調和装置となる機種と、が含まれる。ここで、冷房専用空気調和装置は、例えば、サーバルーム等の発熱を伴うものや低温に維持される必要がある食品等に対して用いられるものが含まれる。また、冷暖兼用空気調和装置は、例えば、一年を通じて快適な空間を実現すべく用いられる家庭用の空気調和装置が含まれる。
【００１８】
ここでは、冷房専用空気調和装置と、冷暖兼用空気調和装置とのいずれの機種を製造する場合であっても、汎用室内機を併用することが可能になる。
【００１９】
これにより、室内機を共通行程で製造できるため製造コストを抑えることができ、例えば、冷房専用空気調和装置の製造受容が増加し、冷暖兼用空気調和装置の製造に余裕がある場合には、汎用室内機を冷房専用空気調和装置の製造用に流用する等の柔軟な対応が可能となる。
【００２０】
第５発明に係る空気調和装置の設定システムは、第４発明に係る空気調和装置の設定システムであって、判断部は、汎用室内機のリモコン対応受信部がリモコン送信部から運転操作指示信号として暖房を要求する信号を受信した場合において、汎用室内機の室外対応受信部が所定機種情報として冷房専用空気調和装置に関する情報を受信している場合に、報知部に報知させる。
【００２１】
ここでは、所定室外機として冷房専用空気調和装置となる機種が採用されている場合においては、暖房運転は実行できないため、汎用室内機のリモコン対応受信部がリモコン送信部から運転操作指示信号として暖房を要求する信号を受信した場合には、必ず、汎用リモコンの設定切り換え部を切り換える必要がある。
【００２２】
このように、冷専機種の場合には暖房指令がありえないことから、設定誤りであることを簡易な構成の判断部によって報知部に報知させることが可能になる。
【発明の効果】
【００２３】
第１発明の空気調和装置の設定システムでは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００２４】
第２発明の空気調和装置の設定システムでは、ユーザは、報知があった場合にのみ汎用リモコンの設定切り換え部の切り換え動作を行えばよく、対応している場合には、特に報知されないためユーザは汎用リモコンの設定状況が空気調和装置の機種に対応しているか否かを特に意識することなく、汎用リモコンを操作し、操作通りの制御を空気調和装置に実行させることが可能になる。
【００２５】
第３発明の空気調和装置の設定システムでは、ユーザは、音もしくは光による報知によって、聴覚もしくは視覚を通じて容易に報知部からの報知を把握することが可能になる。
【００２６】
第４発明の空気調和装置の設定システムでは、冷房専用空気調和装置と、冷暖兼用空気調和装置とのいずれの機種を製造する場合であっても、汎用室内機を併用することが可能になる。
【００２７】
第５発明の空気調和装置の設定システムでは、冷専機種の場合には暖房指令がありえないことから、設定誤りであることを簡易な構成の判断部によって報知部に報知させることが可能になる。
【発明を実施するための最良の形態】
【００２８】
以下、図面に基づいて、本発明に係る空気調和装置の設定システム実施形態について説明する。
【００２９】
＜空気調和装置の設定システムの概略構成＞
本発明の一実施形態が採用された空気調和装置の設定システムは、室内の壁面に設置される室内機１と、運転操作指示信号を室内機に送信する汎用リモコン３０と、室外に設置される室外機２、３等から構成されている。
【００３０】
ここでの空気調和装置は、図１または図２に示すように、冷暖兼用室外機２と室内機１とが接続されて冷媒回路を構成する冷暖兼用空気調和装置１００（図２参照）と、冷房専用室外機３と室内機１とが接続されて冷媒回路を構成する冷房専用空気調和装置２００（図３参照）と、がある。これらの冷暖兼用空気調和装置１００と冷房専用空気調和装置２００とは、いずれも同一形態で汎用型の室内機１が連絡配管５を介して接続され、この室内機１は、冷暖兼用室外機２と冷房専用室外機３とのいずれの室外機に対しても接続可能であり、室外機の種類に応じた機能を発揮することができる。
【００３１】
また、汎用リモコン３０についても、冷暖兼用空気調和装置１００と冷房専用空気調和装置２００とのいずれに対しても運転操作指示信号を送信できるように設定切り換え方式になっており、それぞれの機種に対して運転操作指示信号に対応する制御を実行させることができる。
【００３２】
＜空気調和装置１００の冷媒回路の構成＞
ここでは、冷暖兼用空気調和装置１００と冷房専用空気調和装置２００とのうち、室内機１と冷暖兼用室外機２とが接続されて構成される冷暖兼用空気調和装置１００の冷媒回路を例に挙げて、図４を参照しつつ説明する。
【００３３】
この冷媒回路は、主として室内熱交換器１０、アキュムレータ２１、圧縮機２２、四路切換弁２３、室外熱交換器２０および膨張弁２４で構成される。
【００３４】
室内機１に設けられている室内熱交換器１０は、接触する空気との間で熱交換を行う。また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。
【００３５】
冷暖兼用室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、冷暖兼用室外機２には、室外熱交換器２０での熱交換後の空気を外部に排出するためのプロペラファン２８が設けられている。このプロペラファン２８は、室外ファンモータ２９によって回転駆動される。
【００３６】
ここで、図４に示す四路切換弁２３において、実線で示す接続状態では、冷暖兼用空気調和装置１００は、室外熱交換器２０が冷媒の凝縮器として機能し、室内熱交換器１０が冷媒の蒸発機として機能することで、冷房運転が実行される。また、図４に示す四路切換弁２３において、点線で示す接続状態に変更されると、暖房運転が実行される。
【００３７】
＜空気調和装置の設定システムの通信構成＞
ここでも、室内機１、冷暖兼用室外機２および汎用リモコン３０によって構成される冷暖兼用空気調和装置１００の設定システムを例に挙げて、ブロック構成図を図５に示す。
【００３８】
冷暖兼用室外機２は、室外送信部２５を有しており、室内機１の室外対応受信部１３と通信可能に接続され、様々なデータを送受信しつつ、空調運転を行う。
【００３９】
室内機１は、上述した室外対応受信部１３、リモコン対応受信部１４、判断部１５、音声報知部１５、メモリ１６および制御部４０等を備えている。室外対応受信部１３は、上述した室外送信部２５との間で空調運転データや温度データ等のデータについて双方向に通信を行う。リモコン対応受信部１４は、図２および図３に示すように、汎用リモコン３０のリモコン送信部３１から送信されてくる情報を受信する。判断部１５は、制御部４０の指令に基づいて、メモリ１６に格納されている情報とリモコン送信部３１から送信されてきた情報を対比して対応するものか否かを判断する。音声報知部１５は、図２および図３に示すように、制御部４０の指令に基づいて、所定時間の間ブザー音を発して、汎用リモコン３０の設定状態が誤っていることをユーザに知らせる報知を行う。メモリ１６には、室内機１が接続される室外機の種類に応じた空気調和装置の機種毎に、それぞれ、空調運転に関する設定温度データや制御データが、リモコン３０が送信する運転操作指示信号に対応付けられてデータベースとして格納されている。すなわち、同じ風量調節の信号であっても、冷暖兼用空気調和装置１００における風量調節の運転操作指示信号と、冷房専用空気調和装置２００における風量調節の運転操作指示信号とが、それぞれ異なるようにデータベース化されて、格納されている。制御部４０は、空調運転に関する各種制御を行うと伴に、判断部１５における判断結果において、汎用リモコン３０の設定状態が誤っていることが分かった場合に、音声報知部１５に報知させたりする処理を行う。
【００４０】
汎用リモコン３０は、主として、リモコン送信部３１と、設定変更スイッチ３９等を備えている。リモコン送信部３１は、ユーザによって操作された指示内容を機種に応じた運転操作指示信号として、室内機１のリモコン対応受信部１４に対して双方向ではなく単一方向に送信する。設定変更スイッチ３９は、図７および図８において点線で示すように、汎用リモコン３０の裏面の電池ボックスの近傍等において、空気調和装置の機種に応じた設定の切り換えが可能になるように設けられている。
【００４１】
＜汎用リモコンの機種別設定＞
また、空気調和装置の設定システムにおいて、室内機１に冷暖兼用室外機２が接続された冷暖兼用空気調和装置１００に関する汎用リモコン３０の設定の流れを、図６のフローチャートに示す。
【００４２】
ステップＳ１では、室外送信部２５は、室内機１に対して接続されている室外機の機種を認識させるために、自己が冷房専用室外機３ではなく、冷暖兼用室外機２であることを示す所定機種情報を室内機１の室外対応受信部１３に対して送信する。そして、室外対応受信部１３は、冷暖兼用室外機２の室外送信部２５からの冷暖兼用機種であることを示す所定機種情報を受信する。
【００４３】
ステップＳ２では、室内機１の制御部４０は、この冷暖兼用機種であることを示す所定機種情報をメモリ１６に格納する。これにより、室内機１は、冷暖兼用室外機２と伴に冷暖兼用空気調和装置１００を構成していることを認識する。
【００４４】
ステップＳ３では、リモコン送信部３１は、ユーザによって操作された指示内容を機種に応じた運転操作指示信号として、室内機１のリモコン対応受信部１４に対して送信する。そして、室内機１のリモコン対応受信部１４は、リモコン送信部３１からの機種に応じた運転操作指示信号を受信する。
【００４５】
ステップＳ４では、室内機１の制御部４０は、判断部１５に、リモコン対応受信部１４受信した運転操作指示信号とメモリ１６に格納されている所定機種情報（ここでは冷暖兼用である情報）に対応するデータベースの内容とを対比させ、互いのデータが対応するものであるか否かを判断させる。ここで、判断部１５による判断結果が「対応するものである」という内容であれば、ステップＳ７に移行する。また、判断部１５による判断結果が「対応しないものである」という内容であれば、ステップＳ５に移行する。
【００４６】
ステップＳ５では、室内機１の制御部４０は、音声報知部１７に報知を行うように指示し、音声報知部１７は、所定時間の間、ブザー音を発する。
【００４７】
ステップＳ６では、ブザー音を聞いたユーザは、汎用リモコン３０の設定状態が、空気調和装置の機種と対応していないことを認識し、汎用リモコン３０の設定変更スイッチ３９を切り換える。これ以降は、ステップＳ３においてリモコン送信部３１から送信された機種に応じた運転操作指示信号とは異なる信号が送信されることになる。
【００４８】
ステップＳ７では、汎用リモコン３０の設定状態が、空気調和装置の機種に対応した状態であるため、制御部４０は、リモコン送信部３１が送信して室内機１のリモコン対応受信部１４が受信した運転操作指示信号に応じて、空調運転制御を行う。
【００４９】
＜汎用リモコン３０の運転操作指示＞
図７に冷暖兼用空気調和装置１００に対応するように設定された汎用リモコン３０を示し、図８に冷房専用空気調和装置２００に対応するように設定された汎用リモコン３０を示す。
【００５０】
汎用リモコン３０は、運転停止ボタン３２、温度設定ボタン３３、タイマー設定ボタン３５、運転切換ボタン３６、風向変更ボタン３７、リセットボタン３８およびそれぞれに対応した表示を行う液晶ディスプレイＷ（運転停止表示部３２Ｗ、温度設定表示部３３Ｗ、タイマー設定表示部３５Ｗ、運転状態表示部３６Ｗ、風向表示部３７Ｗ等）および上述した設定変更スイッチ３９等を有している。
【００５１】
ここで、図７に示すように、冷暖兼用空気調和装置１００に対応させて、設定変更スイッチ３９を冷暖兼用側に設定した状態では、図７中の矢印Ｐで示すように、運転状態表示部３６Ｗには、「除湿」、「冷房」、「暖房」、「送風」の４つの運転状態が表示され、運転切換ボタン３６を押すたびに４つの設定を順次切り換える運転操作指示信号を送信するようになっている。すなわち、冷房運転中には、汎用リモコン３０の運転状態表示部３６Ｗには、「冷房」と表示されており、ここで運転切換ボタン３６を押すと、汎用リモコン３０の運転状態表示部３６Ｗの表示が「暖房」に切り換わると伴に、空気調和装置１００の運転も暖房運転に切り換わる。
【００５２】
これに対して、図８に示すように、冷房専用空気調和装置２００に対応させて、設定変更スイッチ３９を冷房専用側に設定した状態では、図８中の矢印Ｐで示すように、運転状態表示部３６Ｗには、「暖房」の運転モードに対応する表示が無くなり、「除湿」、「冷房」、「送風」の３つの運転状態のみが表示され、運転切換ボタン３６を押すたびに４つの設定を順次切り換える運転操作指示信号を送信するようになっている。
【００５３】
このようにして、ユーザは、空気調和装置の機種に応じた汎用リモコン３０の設定を行う。
【００５４】
＜本実施形態の空気調和装置１００の設定システムの特徴＞
（１）
本実施形態の空気調和装置の設定システムは、汎用リモコン３０から室内機１のリモコン対応受信部１４に対して運転操作指示信号を送信するだけで、空気調和装置の機種と現在の汎用リモコン３０の設定状態が対応している場合には、そのまま運転制御が実行される。そして、空気調和装置の機種と現在の汎用リモコン３０の設定状態が対応していない場合には、音声報知部１７からのブザー音によって、ユーザは、汎用リモコン３０の設定状態の誤りを気付いて、設定変更スイッチ３９を切り換えるだけで、空気調和装置の機種に対応した設定状態とすることができる。
【００５５】
これにより、ユーザは、汎用リモコン３０の設定が誤っているのか否かを容易に把握することができ、双方向通信システムのような高価なシステムを構築することなく、室内機１に対して汎用リモコン３０からの一方向の信号送信を行うだけで空気調和装置の機種に応じた操作設定を安価に行うことができる。
【００５６】
（２）
本実施形態の空気調和装置の設定システムは、汎用リモコン３０の設定状態が現状の空気調和装置の機種と対応している場合には、特に音声報知部１７からの報知が行われることなく制御されるため、ユーザは汎用リモコン３０の設定状況が空気調和装置の機種に対応しているか否かを特に意識しなくて済むようになる。
【００５７】
＜本実施形態の空気調和装置１００の設定システムの変形例＞
（Ａ）
上記実施形態の空気調和装置の設定システムでは、音声報知部１７を室内機１に設けて所定時間の間ブザー音を発することで、ユーザに汎用リモコン３０の設定状態が誤りであることを把握させる場合について例に挙げて説明した。
【００５８】
しかし、本発明はこれに限られるものではなく、例えば、音声報知部１７から発せられる音声としては、例えば、「現在の汎用リモコンの設定状態は誤っています。」、「汎用リモコンの設定状態を○○に変更してください。」等の具体的な指示内容を示すものであってもよい。
【００５９】
また、音声による報知に限らず、ＬＥＤ等を用いた光（発光、点滅等）による報知や、ドットマトリックスや液晶表示において汎用リモコン３０の設定状態に関する報知を行ってもよい。
【００６０】
さらに、このような報知部は、室内機１に設けられている必要はなく、室内機１の制御部４０から指示を受けられる状態であれば、特に設置位置に関して限定されるものではない。
【００６１】
（Ｂ）
上記実施形態の空気調和装置の設定システムでは、冷暖兼用空気調和装置１００について中心的に例に挙げて説明した。
【００６２】
この他にも、本発明としては、例えば、冷房専用空気調和装置２００は、例えば、サーバルーム等の発熱を伴うものや低温に維持される必要がある食品等に対して用いることが挙げられる。
【００６３】
また、冷暖兼用空気調和装置は、例えば、一年を通じて快適な空間を実現すべく用いられる家庭用の場合が挙げられる。
【００６４】
（Ｃ）
上記実施形態の空気調和装置の設定システムでは、メモリ１６に予め空気調和装置の機種に応じた運転操作指示信号のデータが格納されており、これに基づいて汎用リモコン３０の設定状況の正否を判断する場合について例に挙げて説明した。
【００６５】
しかし、本発明はこれに限られるものではなく、例えば、機種の相違が冷暖兼用と冷房専用との相違のみである場合等は、音声報知部１７からの報知は、室内機１と冷房専用室外機３とが接続された冷房専用空気調和装置２００の機種の場合に、汎用リモコン３０から「暖房」運転を示す運転操作指示信号をリモコン対応受信部１４が受信した場合にのみ報知するようにして、各機器をより簡素化させ、コストダウンさせるようにしてもよい。
【産業上の利用可能性】
【００６６】
本発明を利用すれば、室内機に接続されている室外機の種類によって機種が異なる空気調和装置において、機種に応じた操作設定が可能なリモコンを用いて室内機に対して一方向の信号送信を行うだけで、安価に、機種とリモコン設定のマッチングの判断を行うことができるため、特に、室内機に接続されている室外機の種類によって機種が異なる空気調和装置の設定システムとして有用である。
【図面の簡単な説明】
【００６７】
【図１】本発明の空気調和装置の室内機に接続される室外機のバリエーションを示すイメージ図。
【図２】冷暖兼用空気調和装置の外観概略図。
【図３】冷房専用空気調和装置の外観概略図。
【図４】冷暖兼用空気調和装置を例とした冷媒回路の構成図。
【図５】冷暖兼用空気調和装置を例としたブロック構成図。
【図６】冷暖兼用空気調和装置を例としたリモコン設定フローチャート。
【図７】冷暖兼用空気調和装置に対応するように設定された汎用リモコンの図。
【図８】冷房専用空気調和装置に対応するように設定された汎用リモコンの図。
【符号の説明】
【００６８】
１  室内機（汎用室内機）
２  冷暖兼用室外機
３  冷房専用室外機
１３  室外対応受信部
１４  リモコン対応受信部
１５  判断部
１６  メモリ
１７  音声報知部（報知部）
２５  室外送信部
３０  汎用リモコン
３１  リモコン送信部
３９  設定変更スイッチ（設定切り換え部）
４０  制御部
１００  冷暖兼用空気調和装置
２００  冷房専用空気調和装置
【図１】
2008096088.tif 000003
【図２】
2008096088.tif 000004
【図３】
2008096088.tif 000005
【図４】
2008096088.tif 000006
【図５】
2008096088.tif 000007
【図６】
2008096088.tif 000008
【図７】
2008096088.tif 000009
【図８】
2008096088.tif 000010
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
空気調和装置（１００、２００）の複数の機種を特定する複数の所定室外機（２、３）と、
前記複数の所定室外機（２、３）のいずれかと伴に冷媒回路を構成することで前記特定された機種の空気調和装置（１００、２００）を構成する汎用室内機（１）と、
前記空気調和装置（１００、２００）の複数の機種それぞれに対応する運転操作指示が可能であって前記運転操作指示の設定を機種に応じて切り換える設定切り換え部（３９）を有し、前記設定切り換え部（３９）の設定状態に応じた前記運転操作指示信号を前記汎用室内機（１）に向けて一方的に送信するリモコン送信部（３１）を有する汎用リモコン（３０）と、
を備え、
前記所定室外機（２、３）は、前記冷媒回路を伴に構成している前記汎用室内機（１）に対して自己の予め特定された所定機種情報を送信する室外送信部（２５）を有し、
前記汎用室内機（１）は、前記冷媒回路を伴に構成している前記所定室外機（２、３）の前記室外送信部（２５）から前記所定機種情報を受信する室外対応受信部（１３）と、前記汎用リモコン（３０）の前記リモコン送信部（３１）から前記運転操作指示信号を受信するリモコン対応受信部（１４）と、受信した前記所定機種情報と受信した前記運転操作指示信号とを対比することで前記汎用リモコンの設定が機種に対応しているか否かを判断する判断部（１５）と、前記判断部（１５）による判断結果に基づいて所定の報知を行う報知部（１７）と、を有し、
前記汎用室内機（１）は、前記リモコン対応受信部（１４）が前記複数の所定室外機（２、３）のうち予め定められた既設定室外機（２、３）に対応する前記運転操作指示信号を受信した場合に、該運転操作指示信号に基づいた運転制御を行う制御部（４０）をさらに有し、
前記報知部（１７）は、前記判断部（１５）によって前記既設定室外機（２、３）に対応する前記所定機種情報と前記運転操作指示信号とが対応していないと判断された場合に報知を行う、
空気調和装置（１００、２００）の設定システム。
【請求項２】
前記報知部（１７）は、音もしくは光の少なくともいずれか一方を発することにより報知する、
請求項１に記載の空気調和装置（１００、２００）の設定システム。
【請求項３】
前記所定室外機（２、３）の複数の機種としては、前記汎用室内機（１）と伴に冷媒回路を構成することで、冷房専用空気調和装置となる機種と、冷暖兼用空気調和装置となる機種と、が含まれる、
請求項１または２に記載の空気調和装置（１００、２００）の設定システム。
【請求項４】
空気調和装置（１００、２００）の複数の機種を特定する複数の所定室外機（２、３）と、
前記複数の所定室外機（２、３）のいずれかと伴に冷媒回路を構成することで前記特定された機種の空気調和装置（１００、２００）を構成する汎用室内機（１）と、
前記空気調和装置（１００、２００）の複数の機種それぞれに対応する運転操作指示が可能であって前記運転操作指示の設定を機種に応じて切り換える設定切り換え部（３９）を有し、前記設定切り換え部（３９）の設定状態に応じた前記運転操作指示信号を前記汎用室内機（１）に向けて一方的に送信するリモコン送信部（３１）を有する汎用リモコン（３０）と、
を備え、
前記所定室外機（２、３）は、前記冷媒回路を伴に構成している前記汎用室内機（１）に対して自己の予め特定された所定機種情報を送信する室外送信部（２５）を有し、
前記汎用室内機（１）は、前記冷媒回路を伴に構成している前記所定室外機（２、３）の前記室外送信部（２５）から前記所定機種情報を受信する室外対応受信部（１３）と、前記汎用リモコン（３０）の前記リモコン送信部（３１）から前記運転操作指示信号を受信するリモコン対応受信部（１４）と、受信した前記所定機種情報と受信した前記運転操作指示信号とを対比することで前記汎用リモコンの設定が機種に対応しているか否かを判断する判断部（１５）と、前記判断部（１５）による判断結果に基づいて所定の報知を行う報知部（１７）と、を有し、
前記所定室外機（２、３）の複数の機種としては、前記汎用室内機（１）と伴に冷媒回路を構成することで、冷房専用空気調和装置となる機種と、冷暖兼用空気調和装置となる機種と、が含まれ、
前記判断部（１５）は、前記汎用室内機（１）の前記リモコン対応受信部（１４）が前記リモコン送信部（３１）から前記運転操作指示信号として暖房を要求する信号を受信した場合において、前記汎用室内機（１）の前記室外対応受信部（１３）が前記所定機種情報として前記冷房専用空気調和装置に関する情報を受信している場合に、前記報知部（１７）に報知させる、
空気調和装置（１００、２００）の設定システム。
【請求項５】
空気調和装置（１００、２００）の複数の機種を特定する複数の所定室外機（２、３）と、
前記複数の所定室外機（２、３）のいずれかと伴に冷媒回路を構成することで前記特定された機種の空気調和装置（１００、２００）を構成する汎用室内機（１）と、
前記空気調和装置（１００、２００）の複数の機種それぞれに対応する運転操作指示が可能であって前記運転操作指示の設定を機種に応じて切り換える設定切り換え部（３９）を有し、前記設定切り換え部（３９）の設定状態に応じた前記運転操作指示信号を前記汎用室内機（１）に向けて一方的に送信するリモコン送信部（３１）を有する汎用リモコン（３０）と、
を備え、
前記所定室外機（２、３）は、前記冷媒回路を伴に構成している前記汎用室内機（１）に対して自己の予め特定された所定機種情報を送信する室外送信部（２５）を有し、
前記汎用室内機（１）は、前記冷媒回路を伴に構成している前記所定室外機（２、３）の前記室外送信部（２５）から前記所定機種情報を受信する室外対応受信部（１３）と、前記汎用リモコン（３０）の前記リモコン送信部（３１）から前記運転操作指示信号を受信するリモコン対応受信部（１４）と、受信した前記所定機種情報と受信した前記運転操作指示信号とを対比することで前記汎用リモコンの設定が機種に対応しているか否かを判断する判断部（１５）と、前記判断部（１５）による判断結果に基づいて所定の報知を行う報知部（１７）と、を有し、
前記汎用室内機（１）は、前記複数の所定室外機（２、３）のうちのいずれかと前記冷媒回路を構成して特定の機種の空気調和装置を構成できる場合に、該機種の有する機能として予め定められている機能を実行させための前記運転操作指示信号を前記リモコン対応受信部（１４）が受信することで該運転操作指示信号に基づいた運転制御を行う制御部（４０）をさらに有し、
前記報知部（１７）は、前記判断部（１５）によって前記既設定室外機（２、３）に対応する前記所定機種情報と前記運転操作指示信号とが対応していないと判断された場合に報知を行う、
空気調和装置（１００、２００）の設定システム。
【手続補正２】
【補正対象書類名】明細書
【補正対象項目名】全文
【補正方法】変更
【補正の内容】
【発明の詳細な説明】
【技術分野】
【０００１】
本発明は、空気調和装置の設定システムに関する。
【背景技術】
【０００２】
従来より、空気調和装置の製造において、複数機種の空気調和装置が製造される場合に、これらの各機種の空気調和装置のいずれにも対応可能に使用される汎用コントローラが開発されている。このような空気調和装置の複数の機種としては、例えば、室外機が冷房専用タイプのもの、冷・暖房対応のヒートポンプ式のもの、および、冷・暖房能力の連続制御が可能な能力可変式のもの等がある。
【０００３】
例えば、以下の特許文献１に示すような、空気調和装置では、室外機のマイコンと室内機のマイコンとが双方向に通信可能に接続され、この室内機のマイコンとリモコンのマイコンとについても双方向に通信可能に接続されて構成されたのもが提案されている。この空気調和装置によると、室内機が室外機との双方向通信によって自己が接続されている室外機のタイプを把握し、タイプを把握した室内機は、その室外機のタイプのデータをリモコンに送信する。そして、リモコンは、送信されてきた室外機の操作設定を行い、設定された操作内容を室内機が把握できるように室内機にデータを送信する。これにより、複数の空気調和装置の機種が製造される場合であっても、汎用のリモコンを利用することで、各機種毎にリモコンを製造することが不要になり、製造コストを抑えることができている。
【特許文献１】特開昭６４−７０６４１号公報
【発明の開示】
【発明が解決しようとする課題】
【０００４】
しかし、上述した特許文献１に記載の空気調和装置では、機種に応じたリモコンの設定を行うためには、室内機とリモコンとの通信が双方向であることが前提となっており、室内機の通信部や、リモコンの通信部が、一方向の通信の場合と比較して高コストになってしまう。
【０００５】
また、リモコンから室内機に対する一方向の通信システムでは、リモコンを操作しているユーザは、リモコンの設定が空気調和装置の機種に対応した設定になっているのか否か把握することができない。このため、ユーザは、リモコンの設定が空気調和装置に対応せず誤った設定となっている場合には、その誤りに気付かず、空気調和装置の故障ではないかと勘違いしてしまうこともある。
【０００６】
本発明は、上述した点に鑑みてなされたものであり、本発明の課題は、室内機に接続されている室外機の種類によって機種が異なる空気調和装置において、機種に応じた操作設定が可能なリモコンを用いて室内機に対して一方向の信号送信を行うだけで、安価に、機種とリモコン設定のマッチングの判断を行うことが可能な空気調和装置の設定システムを提供することにある。
【課題を解決するための手段】
【０００７】
第１発明に係る空気調和装置の設定システムは、複数の所定室外機と、汎用室内機と、汎用リモコンとを備える。複数の所定室外機は、それぞれ空気調和装置の複数の機種を特定する。汎用室内機は、複数の所定室外機のいずれかと伴に冷媒回路を構成することで特定された機種の空気調和装置を構成する。汎用リモコンは、設定切り換え部と、リモコン送信部とを有している、設定切り換え部では、空気調和装置の複数の機種それぞれに対応する運転操作指示が可能であって運転操作指示の設定を機種に応じて切り換えが行われる。リモコン送信部では、設定切り換え部の設定状態に応じた運転操作指示信号を汎用室内機に向けて一方的に送信する。そして、所定室外機は、冷媒回路を伴に構成している汎用室内機に対して自己の予め特定された所定機種情報を送信する室外送信部を有している。汎用室内機は、冷媒回路を伴に構成している所定室外機の室外送信部から所定機種情報を受信する室外対応受信部と、汎用リモコンのリモコン送信部から運転操作指示信号を受信するリモコン対応受信部とを有している。そして、汎用室内機は、受信した所定機種情報と受信した運転操作指示信号とを対比することで汎用リモコンの設定が機種に対応しているか否かを判断する判断部と、判断部による判断結果に基づいて所定の報知を行う報知部とを有している。そして、汎用室内機は、リモコン対応受信部が複数の所定室外機のうち予め定められた既設定室外機に対応する運転操作指示信号を受信した場合に、まさにその運転操作指示信号に基づいた運転制御を行う制御部をさらに有している。報知部は、判断部によって既設定室外機に対応する所定機種情報と運転操作指示信号とが対応していないと判断された場合に報知を行う。
【０００８】
ここでは、空気調和装置の機種は、汎用室内機と伴に冷媒回路を構成する所定室外機の種類によって決定されている。ここで、汎用室内機は、冷媒回路を伴に構成するように接続された室外送信部からの所定機種情報を室外対応受信部において受信することで、自己の空気調和装置の機種を把握する。
【０００９】
また、汎用リモコンは、これらのいずれかの組み合わせによる空気調和装置の機種に対しても、設定切り換え部による設定切り換えによって、操作可能となるようになっている。ここで、汎用リモコンは、操作信号を汎用室内機のリモコン対応受信部に対して一方的に送信するだけで、汎用室内機側からのデータ受信を行わない構成であり、安価に製造されるものである。
【００１０】
そして、汎用室内機の判断部は、所定室外機からの所定機種情報と、汎用リモコンからの運転操作指示信号とを対比することで、汎用リモコンの設定状態が、空気調和装置の機種に対応しているか否か判断する。そして、報知部は、汎用リモコンの設定状態について、空気調和装置の機種に対応しているか否かに関する報知を行う。このため、ユーザは、この報知部からの報知にしたがって、汎用リモコンの設定切り換え部の設定状態を切り換えたり維持したりすることで、汎用リモコンを空気調和装置の機種に対応させることができる。
【００１１】
これにより、ユーザは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００１２】
さらに、ここでは、報知部は、汎用リモコンの設定状況について、所定機種情報と運転操作指示信号とが対応している場合には報知を行うことなく、判断部によって所定機種情報と運転操作指示信号とが対応していないと判断された場合に報知を行う。また、汎用室内機の制御部は、リモコン対応受信部が複数の所定室外機のうち予め定められた既設定室外機に対応する運転操作指示信号を受信した場合に、運転操作指示信号に基づいた運転制御を行う。
【００１３】
これにより、ユーザは、報知があった場合にのみ汎用リモコンの設定切り換え部の切り換え動作を行えばよく、対応している場合には、特に報知されないためユーザは汎用リモコンの設定状況が空気調和装置の機種に対応しているか否かを特に意識することなく、汎用リモコンを操作し、操作通りの制御を空気調和装置に実行させることが可能になる。
【００１４】
第２発明に係る空気調和装置の設定システムは、第１発明に係る空気調和装置の設定システムであって、報知部は、音もしくは光の少なくともいずれか一方を発することにより報知する。なお、ここでの音による報知としては、例えば、ブザー音やメロディ等による報知が含まれ、光による報知としては、例えば、ＬＥＤ表示、ドットマトリックスおよび液晶による表示等も含まれる。
【００１５】
ここでは、ユーザは、音もしくは光による報知によって、聴覚もしくは視覚を通じて容易に報知部からの報知を把握することが可能になる。
【００１６】
第３発明に係る空気調和装置の設定システムは、第１発明または第２発明に係る空気調和装置の設定システムであって、所定室外機の複数の機種としては、汎用室内機と伴に冷媒回路を構成することで、冷房専用空気調和装置となる機種と、冷暖兼用空気調和装置となる機種と、が含まれる。ここで、冷房専用空気調和装置は、例えば、サーバルーム等の発熱を伴うものや低温に維持される必要がある食品等に対して用いられるものが含まれる。また、冷暖兼用空気調和装置は、例えば、一年を通じて快適な空間を実現すべく用いられる家庭用の空気調和装置が含まれる。
【００１７】
ここでは、冷房専用空気調和装置と、冷暖兼用空気調和装置とのいずれの機種を製造する場合であっても、汎用室内機を併用することが可能になる。
【００１８】
これにより、室内機を共通行程で製造できるため製造コストを抑えることができ、例えば、冷房専用空気調和装置の製造受容が増加し、冷暖兼用空気調和装置の製造に余裕がある場合には、汎用室内機を冷房専用空気調和装置の製造用に流用する等の柔軟な対応が可能となる。
【００１９】
第４発明に係る空気調和装置の設定システムは、複数の所定室外機と、汎用室内機と、汎用リモコンとを備える。複数の所定室外機は、それぞれ空気調和装置の複数の機種を特定する。汎用室内機は、複数の所定室外機のいずれかと伴に冷媒回路を構成することで特定された機種の空気調和装置を構成する。汎用リモコンは、設定切り換え部と、リモコン送信部とを有している、設定切り換え部では、空気調和装置の複数の機種それぞれに対応する運転操作指示が可能であって運転操作指示の設定を機種に応じて切り換えが行われる。リモコン送信部では、設定切り換え部の設定状態に応じた運転操作指示信号を汎用室内機に向けて一方的に送信する。そして、所定室外機は、冷媒回路を伴に構成している汎用室内機に対して自己の予め特定された所定機種情報を送信する室外送信部を有している。汎用室内機は、冷媒回路を伴に構成している所定室外機の室外送信部から所定機種情報を受信する室外対応受信部と、汎用リモコンのリモコン送信部から運転操作指示信号を受信するリモコン対応受信部とを有している。そして、汎用室内機は、受信した所定機種情報と受信した運転操作指示信号とを対比することで汎用リモコンの設定が機種に対応しているか否かを判断する判断部と、判断部による判断結果に基づいて所定の報知を行う報知部とを有している。所定室外機の複数の機種としては、汎用室内機と伴に冷媒回路を構成することで、冷房専用空気調和装置となる機種と、冷暖兼用空気調和装置となる機種と、が含まれる。ここで、冷房専用空気調和装置は、例えば、サーバルーム等の発熱を伴うものや低温に維持される必要がある食品等に対して用いられるものが含まれる。また、冷暖兼用空気調和装置は、例えば、一年を通じて快適な空間を実現すべく用いられる家庭用の空気調和装置が含まれる。判断部は、汎用室内機のリモコン対応受信部がリモコン送信部から運転操作指示信号として暖房を要求する信号を受信した場合において、汎用室内機の室外対応受信部が所定機種情報として冷房専用空気調和装置に関する情報を受信している場合に、報知部に報知させる。
【００２０】
ここでは、空気調和装置の機種は、汎用室内機と伴に冷媒回路を構成する所定室外機の種類によって決定されている。ここで、汎用室内機は、冷媒回路を伴に構成するように接続された室外送信部からの所定機種情報を室外対応受信部において受信することで、自己の空気調和装置の機種を把握する。
【００２１】
また、汎用リモコンは、これらのいずれかの組み合わせによる空気調和装置の機種に対しても、設定切り換え部による設定切り換えによって、操作可能となるようになっている。ここで、汎用リモコンは、操作信号を汎用室内機のリモコン対応受信部に対して一方的に送信するだけで、汎用室内機側からのデータ受信を行わない構成であり、安価に製造されるものである。
【００２２】
そして、汎用室内機の判断部は、所定室外機からの所定機種情報と、汎用リモコンからの運転操作指示信号とを対比することで、汎用リモコンの設定状態が、空気調和装置の機種に対応しているか否か判断する。そして、報知部は、汎用リモコンの設定状態について、空気調和装置の機種に対応しているか否かに関する報知を行う。このため、ユーザは、この報知部からの報知にしたがって、汎用リモコンの設定切り換え部の設定状態を切り換えたり維持したりすることで、汎用リモコンを空気調和装置の機種に対応させることができる。
【００２３】
これにより、ユーザは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００２４】
そして、ここでは、冷房専用空気調和装置と、冷暖兼用空気調和装置とのいずれの機種を製造する場合であっても、汎用室内機を併用することが可能になる。
【００２５】
これにより、室内機を共通行程で製造できるため製造コストを抑えることができ、例えば、冷房専用空気調和装置の製造受容が増加し、冷暖兼用空気調和装置の製造に余裕がある場合には、汎用室内機を冷房専用空気調和装置の製造用に流用する等の柔軟な対応が可能となる。
【００２６】
さらに、ここでは、所定室外機として冷房専用空気調和装置となる機種が採用されている場合においては、暖房運転は実行できないため、汎用室内機のリモコン対応受信部がリモコン送信部から運転操作指示信号として暖房を要求する信号を受信した場合には、必ず、汎用リモコンの設定切り換え部を切り換える必要がある。
【００２７】
このように、冷専機種の場合には暖房指令がありえないことから、設定誤りであることを簡易な構成の判断部によって報知部に報知させることが可能になる。
【００２８】
第５発明に係る空気調和装置の設定システムは、複数の所定室外機と、汎用室内機と、汎用リモコンとを備える。複数の所定室外機は、それぞれ空気調和装置の複数の機種を特定する。汎用室内機は、複数の所定室外機のいずれかと伴に冷媒回路を構成することで特定された機種の空気調和装置を構成する。汎用リモコンは、設定切り換え部と、リモコン送信部とを有している、設定切り換え部では、空気調和装置の複数の機種それぞれに対応する運転操作指示が可能であって運転操作指示の設定を機種に応じて切り換えが行われる。リモコン送信部では、設定切り換え部の設定状態に応じた運転操作指示信号を汎用室内機に向けて一方的に送信する。そして、所定室外機は、冷媒回路を伴に構成している汎用室内機に対して自己の予め特定された所定機種情報を送信する室外送信部を有している。汎用室内機は、冷媒回路を伴に構成している所定室外機の室外送信部から所定機種情報を受信する室外対応受信部と、汎用リモコンのリモコン送信部から運転操作指示信号を受信するリモコン対応受信部とを有している。そして、汎用室内機は、受信した所定機種情報と受信した運転操作指示信号とを対比することで汎用リモコンの設定が機種に対応しているか否かを判断する判断部と、判断部による判断結果に基づいて所定の報知を行う報知部とを有している。そして、汎用室内機は、複数の所定室外機のうちのいずれかと冷媒回路を構成して特定の機種の空気調和装置を構成できる場合に、まさにその機種の有する機能として予め定められている機能を実行させための運転操作指示信号を前記リモコン対応受信部が受信することで、まさにその運転操作指示信号に基づいた運転制御を行う制御部をさらに有している。報知部は、判断部によって既設定室外機に対応する所定機種情報と運転操作指示信号とが対応していないと判断された場合に報知を行う。
【００２９】
ここでは、空気調和装置の機種は、汎用室内機と伴に冷媒回路を構成する所定室外機の種類によって決定されている。ここで、汎用室内機は、冷媒回路を伴に構成するように接続された室外送信部からの所定機種情報を室外対応受信部において受信することで、自己の空気調和装置の機種を把握する。
【００３０】
また、汎用リモコンは、これらのいずれかの組み合わせによる空気調和装置の機種に対しても、設定切り換え部による設定切り換えによって、操作可能となるようになっている。ここで、汎用リモコンは、操作信号を汎用室内機のリモコン対応受信部に対して一方的に送信するだけで、汎用室内機側からのデータ受信を行わない構成であり、安価に製造されるものである。
【００３１】
そして、汎用室内機の判断部は、所定室外機からの所定機種情報と、汎用リモコンからの運転操作指示信号とを対比することで、汎用リモコンの設定状態が、空気調和装置の機種に対応しているか否か判断する。そして、報知部は、汎用リモコンの設定状態について、空気調和装置の機種に対応しているか否かに関する報知を行う。このため、ユーザは、この報知部からの報知にしたがって、汎用リモコンの設定切り換え部の設定状態を切り換えたり維持したりすることで、汎用リモコンを空気調和装置の機種に対応させることができる。
【００３２】
これにより、ユーザは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００３３】
さらに、ここでは、報知部は、汎用リモコンの設定状況について、所定機種情報と運転操作指示信号とが対応している場合には報知を行うことなく、判断部によって所定機種情報と運転操作指示信号とが対応していないと判断された場合に報知を行う。また、複数の所定室外機のうちのいずれかと冷媒回路を構成して特定の機種の空気調和装置を構成できる場合に、まさにその機種の有する機能として予め定められている機能を実行させための運転操作指示信号を前記リモコン対応受信部が受信することで、まさにその運転制御を行う。
【００３４】
これにより、ユーザは、報知があった場合にのみ汎用リモコンの設定切り換え部の切り換え動作を行えばよく、対応している場合には、特に報知されないためユーザは汎用リモコンの設定状況が空気調和装置の機種に対応しているか否かを特に意識することなく、汎用リモコンを操作し、操作通りの制御を空気調和装置に実行させることが可能になる。
【００３５】
第６発明に係る空気調和装置の設定システムは、複数の所定室外機と、汎用室内機と、汎用リモコンとを備える。複数の所定室外機は、それぞれ空気調和装置の複数の機種を特定する。汎用室内機は、複数の所定室外機のいずれかと伴に冷媒回路を構成することで特定された機種の空気調和装置を構成する。汎用リモコンは、設定切り換え部と、リモコン送信部とを有している、設定切り換え部では、空気調和装置の複数の機種それぞれに対応する運転操作指示が可能であって運転操作指示の設定を機種に応じて切り換えが行われる。リモコン送信部では、設定切り換え部の設定状態に応じた運転操作指示信号を汎用室内機に向けて一方的に送信する。そして、所定室外機は、冷媒回路を伴に構成している汎用室内機に対して自己の予め特定された所定機種情報を送信する室外送信部を有している。汎用室内機は、冷媒回路を伴に構成している所定室外機の室外送信部から所定機種情報を受信する室外対応受信部と、汎用リモコンのリモコン送信部から運転操作指示信号を受信するリモコン対応受信部とを有している。そして、汎用室内機は、受信した所定機種情報と受信した運転操作指示信号とを対比することで汎用リモコンの設定が機種に対応しているか否かを判断する判断部とを有している。そして、汎用室内機は、複数の所定室外機のうちのいずれかと冷媒回路を構成して特定の機種の空気調和装置を構成できる場合に、まさにその機種の有する機能として予め定められている機能を実行させための運転操作指示信号を前記リモコン対応受信部が受信することで、まさにその運転操作指示信号に基づいた運転制御を行う制御部をさらに有している。
【００３６】
ここでは、空気調和装置の機種は、汎用室内機と伴に冷媒回路を構成する所定室外機の種類によって決定されている。ここで、汎用室内機は、冷媒回路を伴に構成するように接続された室外送信部からの所定機種情報を室外対応受信部において受信することで、自己の空気調和装置の機種を把握する。
【００３７】
また、汎用リモコンは、これらのいずれかの組み合わせによる空気調和装置の機種に対しても、設定切り換え部による設定切り換えによって、操作可能となるようになっている。ここで、汎用リモコンは、操作信号を汎用室内機のリモコン対応受信部に対して一方的に送信するだけで、汎用室内機側からのデータ受信を行わない構成であり、安価に製造されるものである。
【００３８】
そして、汎用室内機の判断部は、所定室外機からの所定機種情報と、汎用リモコンからの運転操作指示信号とを対比することで、汎用リモコンの設定状態が、空気調和装置の機種に対応しているか否か判断する。
【００３９】
これにより、ユーザは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。
【００４０】
さらに、ここでは、汎用室内機の制御部は、複数の所定室外機のうちのいずれかと冷媒回路を構成して特定の機種の空気調和装置を構成できる場合に、まさにその機種の有する機能として予め定められている機能を実行させための運転操作指示信号を前記リモコン対応受信部が受信することで、まさにその運転制御を行う。
【００４１】
これにより、ユーザは、対応している場合には、ユーザは汎用リモコンの設定状況が空気調和装置の機種に対応しているか否かを特に意識することなく、汎用リモコンを操作し、操作通りの制御を空気調和装置に実行させることが可能になる。
【発明の効果】
【００４２】
第１発明の空気調和装置の設定システムでは、リモコンの設定が誤っているのか否かを容易に把握することができ、双方向通信システムのような高価なシステムを構築することなく、汎用室内機に対して一方向の信号送信を行うだけで汎用リモコンの機種に応じた操作設定を安価に行うことが可能になる。さらに、ユーザは、報知があった場合にのみ汎用リモコンの設定切り換え部の切り換え動作を行えばよく、対応している場合には、特に報知されないためユーザは汎用リモコンの設定状況が空気調和装置の機種に対応しているか否かを特に意識することなく、汎用リモコンを操作し、操作通りの制御を空気調和装置に実行させることが可能になる。
【００４３】
第２発明の空気調和装置の設定システムでは、ユーザは、音もしくは光による報知によって、聴覚もしくは視覚を通じて容易に報知部からの報知を把握することが可能になる。
【００４４】
第３発明の空気調和装置の設定システムでは、冷房専用空気調和装置と、冷暖兼用空気調和装置とのいずれの機種を製造する場合であっても、汎用室内機を併用することが可能になる。
【００４５】
第４発明の空気調和装置の設定システムでは、冷専機種の場合には暖房指令がありえないことから、設定誤りであることを簡易な構成の判断部によって報知部に報知させることが可能になる。
【００４６】
第５発明の空気調和装置の設定システムでは、報知部は、汎用リモコンの設定状況について、所定機種情報と運転操作指示信号とが対応している場合には報知を行うことなく、判断部によって所定機種情報と運転操作指示信号とが対応していないと判断された場合に報知を行う。また、複数の所定室外機のうちのいずれかと冷媒回路を構成して特定の機種の空気調和装置を構成できる場合に、まさにその機種の有する機能として予め定められている機能を実行させための運転操作指示信号を前記リモコン対応受信部が受信することで、まさにその運転制御を行う。
【発明を実施するための最良の形態】
【００４７】
以下、図面に基づいて、本発明に係る空気調和装置の設定システム実施形態について説明する。
【００４８】
＜空気調和装置の設定システムの概略構成＞
本発明の一実施形態が採用された空気調和装置の設定システムは、室内の壁面に設置される室内機１と、運転操作指示信号を室内機に送信する汎用リモコン３０と、室外に設置される室外機２、３等から構成されている。
【００４９】
ここでの空気調和装置は、図１または図２に示すように、冷暖兼用室外機２と室内機１とが接続されて冷媒回路を構成する冷暖兼用空気調和装置１００（図２参照）と、冷房専用室外機３と室内機１とが接続されて冷媒回路を構成する冷房専用空気調和装置２００（図３参照）と、がある。これらの冷暖兼用空気調和装置１００と冷房専用空気調和装置２００とは、いずれも同一形態で汎用型の室内機１が連絡配管５を介して接続され、この室内機１は、冷暖兼用室外機２と冷房専用室外機３とのいずれの室外機に対しても接続可能であり、室外機の種類に応じた機能を発揮することができる。
【００５０】
また、汎用リモコン３０についても、冷暖兼用空気調和装置１００と冷房専用空気調和装置２００とのいずれに対しても運転操作指示信号を送信できるように設定切り換え方式になっており、それぞれの機種に対して運転操作指示信号に対応する制御を実行させることができる。
【００５１】
＜空気調和装置１００の冷媒回路の構成＞
ここでは、冷暖兼用空気調和装置１００と冷房専用空気調和装置２００とのうち、室内機１と冷暖兼用室外機２とが接続されて構成される冷暖兼用空気調和装置１００の冷媒回路を例に挙げて、図４を参照しつつ説明する。
【００５２】
この冷媒回路は、主として室内熱交換器１０、アキュムレータ２１、圧縮機２２、四路切換弁２３、室外熱交換器２０および膨張弁２４で構成される。
【００５３】
室内機１に設けられている室内熱交換器１０は、接触する空気との間で熱交換を行う。また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。
【００５４】
冷暖兼用室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、冷暖兼用室外機２には、室外熱交換器２０での熱交換後の空気を外部に排出するためのプロペラファン２８が設けられている。このプロペラファン２８は、室外ファンモータ２９によって回転駆動される。
【００５５】
ここで、図４に示す四路切換弁２３において、実線で示す接続状態では、冷暖兼用空気調和装置１００は、室外熱交換器２０が冷媒の凝縮器として機能し、室内熱交換器１０が冷媒の蒸発機として機能することで、冷房運転が実行される。また、図４に示す四路切換弁２３において、点線で示す接続状態に変更されると、暖房運転が実行される。
【００５６】
＜空気調和装置の設定システムの通信構成＞
ここでも、室内機１、冷暖兼用室外機２および汎用リモコン３０によって構成される冷暖兼用空気調和装置１００の設定システムを例に挙げて、ブロック構成図を図５に示す。
【００５７】
冷暖兼用室外機２は、室外送信部２５を有しており、室内機１の室外対応受信部１３と通信可能に接続され、様々なデータを送受信しつつ、空調運転を行う。
【００５８】
室内機１は、上述した室外対応受信部１３、リモコン対応受信部１４、判断部１５、音声報知部１５、メモリ１６および制御部４０等を備えている。室外対応受信部１３は、上述した室外送信部２５との間で空調運転データや温度データ等のデータについて双方向に通信を行う。リモコン対応受信部１４は、図２および図３に示すように、汎用リモコン３０のリモコン送信部３１から送信されてくる情報を受信する。判断部１５は、制御部４０の指令に基づいて、メモリ１６に格納されている情報とリモコン送信部３１から送信されてきた情報を対比して対応するものか否かを判断する。音声報知部１５は、図２および図３に示すように、制御部４０の指令に基づいて、所定時間の間ブザー音を発して、汎用リモコン３０の設定状態が誤っていることをユーザに知らせる報知を行う。メモリ１６には、室内機１が接続される室外機の種類に応じた空気調和装置の機種毎に、それぞれ、空調運転に関する設定温度データや制御データが、リモコン３０が送信する運転操作指示信号に対応付けられてデータベースとして格納されている。すなわち、同じ風量調節の信号であっても、冷暖兼用空気調和装置１００における風量調節の運転操作指示信号と、冷房専用空気調和装置２００における風量調節の運転操作指示信号とが、それぞれ異なるようにデータベース化されて、格納されている。制御部４０は、空調運転に関する各種制御を行うと伴に、判断部１５における判断結果において、汎用リモコン３０の設定状態が誤っていることが分かった場合に、音声報知部１５に報知させたりする処理を行う。
【００５９】
汎用リモコン３０は、主として、リモコン送信部３１と、設定変更スイッチ３９等を備えている。リモコン送信部３１は、ユーザによって操作された指示内容を機種に応じた運転操作指示信号として、室内機１のリモコン対応受信部１４に対して双方向ではなく単一方向に送信する。設定変更スイッチ３９は、図７および図８において点線で示すように、汎用リモコン３０の裏面の電池ボックスの近傍等において、空気調和装置の機種に応じた設定の切り換えが可能になるように設けられている。
【００６０】
＜汎用リモコンの機種別設定＞
また、空気調和装置の設定システムにおいて、室内機１に冷暖兼用室外機２が接続された冷暖兼用空気調和装置１００に関する汎用リモコン３０の設定の流れを、図６のフローチャートに示す。
【００６１】
ステップＳ１では、室外送信部２５は、室内機１に対して接続されている室外機の機種を認識させるために、自己が冷房専用室外機３ではなく、冷暖兼用室外機２であることを示す所定機種情報を室内機１の室外対応受信部１３に対して送信する。そして、室外対応受信部１３は、冷暖兼用室外機２の室外送信部２５からの冷暖兼用機種であることを示す所定機種情報を受信する。
【００６２】
ステップＳ２では、室内機１の制御部４０は、この冷暖兼用機種であることを示す所定機種情報をメモリ１６に格納する。これにより、室内機１は、冷暖兼用室外機２と伴に冷暖兼用空気調和装置１００を構成していることを認識する。
【００６３】
ステップＳ３では、リモコン送信部３１は、ユーザによって操作された指示内容を機種に応じた運転操作指示信号として、室内機１のリモコン対応受信部１４に対して送信する。そして、室内機１のリモコン対応受信部１４は、リモコン送信部３１からの機種に応じた運転操作指示信号を受信する。
【００６４】
ステップＳ４では、室内機１の制御部４０は、判断部１５に、リモコン対応受信部１４受信した運転操作指示信号とメモリ１６に格納されている所定機種情報（ここでは冷暖兼用である情報）に対応するデータベースの内容とを対比させ、互いのデータが対応するものであるか否かを判断させる。ここで、判断部１５による判断結果が「対応するものである」という内容であれば、ステップＳ７に移行する。また、判断部１５による判断結果が「対応しないものである」という内容であれば、ステップＳ５に移行する。
【００６５】
ステップＳ５では、室内機１の制御部４０は、音声報知部１７に報知を行うように指示し、音声報知部１７は、所定時間の間、ブザー音を発する。
【００６６】
ステップＳ６では、ブザー音を聞いたユーザは、汎用リモコン３０の設定状態が、空気調和装置の機種と対応していないことを認識し、汎用リモコン３０の設定変更スイッチ３９を切り換える。これ以降は、ステップＳ３においてリモコン送信部３１から送信された機種に応じた運転操作指示信号とは異なる信号が送信されることになる。
【００６７】
ステップＳ７では、汎用リモコン３０の設定状態が、空気調和装置の機種に対応した状態であるため、制御部４０は、リモコン送信部３１が送信して室内機１のリモコン対応受信部１４が受信した運転操作指示信号に応じて、空調運転制御を行う。
【００６８】
＜汎用リモコン３０の運転操作指示＞
図７に冷暖兼用空気調和装置１００に対応するように設定された汎用リモコン３０を示し、図８に冷房専用空気調和装置２００に対応するように設定された汎用リモコン３０を示す。
【００６９】
汎用リモコン３０は、運転停止ボタン３２、温度設定ボタン３３、タイマー設定ボタン３５、運転切換ボタン３６、風向変更ボタン３７、リセットボタン３８およびそれぞれに対応した表示を行う液晶ディスプレイＷ（運転停止表示部３２Ｗ、温度設定表示部３３Ｗ、タイマー設定表示部３５Ｗ、運転状態表示部３６Ｗ、風向表示部３７Ｗ等）および上述した設定変更スイッチ３９等を有している。
【００７０】
ここで、図７に示すように、冷暖兼用空気調和装置１００に対応させて、設定変更スイッチ３９を冷暖兼用側に設定した状態では、図７中の矢印Ｐで示すように、運転状態表示部３６Ｗには、「除湿」、「冷房」、「暖房」、「送風」の４つの運転状態が表示され、運転切換ボタン３６を押すたびに４つの設定を順次切り換える運転操作指示信号を送信するようになっている。すなわち、冷房運転中には、汎用リモコン３０の運転状態表示部３６Ｗには、「冷房」と表示されており、ここで運転切換ボタン３６を押すと、汎用リモコン３０の運転状態表示部３６Ｗの表示が「暖房」に切り換わると伴に、空気調和装置１００の運転も暖房運転に切り換わる。
【００７１】
これに対して、図８に示すように、冷房専用空気調和装置２００に対応させて、設定変更スイッチ３９を冷房専用側に設定した状態では、図８中の矢印Ｐで示すように、運転状態表示部３６Ｗには、「暖房」の運転モードに対応する表示が無くなり、「除湿」、「冷房」、「送風」の３つの運転状態のみが表示され、運転切換ボタン３６を押すたびに４つの設定を順次切り換える運転操作指示信号を送信するようになっている。
【００７２】
このようにして、ユーザは、空気調和装置の機種に応じた汎用リモコン３０の設定を行う。
【００７３】
＜本実施形態の空気調和装置１００の設定システムの特徴＞
（１）
本実施形態の空気調和装置の設定システムは、汎用リモコン３０から室内機１のリモコン対応受信部１４に対して運転操作指示信号を送信するだけで、空気調和装置の機種と現在の汎用リモコン３０の設定状態が対応している場合には、そのまま運転制御が実行される。そして、空気調和装置の機種と現在の汎用リモコン３０の設定状態が対応していない場合には、音声報知部１７からのブザー音によって、ユーザは、汎用リモコン３０の設定状態の誤りを気付いて、設定変更スイッチ３９を切り換えるだけで、空気調和装置の機種に対応した設定状態とすることができる。
【００７４】
これにより、ユーザは、汎用リモコン３０の設定が誤っているのか否かを容易に把握することができ、双方向通信システムのような高価なシステムを構築することなく、室内機１に対して汎用リモコン３０からの一方向の信号送信を行うだけで空気調和装置の機種に応じた操作設定を安価に行うことができる。
【００７５】
（２）
本実施形態の空気調和装置の設定システムは、汎用リモコン３０の設定状態が現状の空気調和装置の機種と対応している場合には、特に音声報知部１７からの報知が行われることなく制御されるため、ユーザは汎用リモコン３０の設定状況が空気調和装置の機種に対応しているか否かを特に意識しなくて済むようになる。
【００７６】
＜本実施形態の空気調和装置１００の設定システムの変形例＞
（Ａ）
上記実施形態の空気調和装置の設定システムでは、音声報知部１７を室内機１に設けて所定時間の間ブザー音を発することで、ユーザに汎用リモコン３０の設定状態が誤りであることを把握させる場合について例に挙げて説明した。
【００７７】
しかし、本発明はこれに限られるものではなく、例えば、音声報知部１７から発せられる音声としては、例えば、「現在の汎用リモコンの設定状態は誤っています。」、「汎用リモコンの設定状態を○○に変更してください。」等の具体的な指示内容を示すものであってもよい。
【００７８】
また、音声による報知に限らず、ＬＥＤ等を用いた光（発光、点滅等）による報知や、ドットマトリックスや液晶表示において汎用リモコン３０の設定状態に関する報知を行ってもよい。
【００７９】
さらに、このような報知部は、室内機１に設けられている必要はなく、室内機１の制御部４０から指示を受けられる状態であれば、特に設置位置に関して限定されるものではない。
【００８０】
（Ｂ）
上記実施形態の空気調和装置の設定システムでは、冷暖兼用空気調和装置１００について中心的に例に挙げて説明した。
【００８１】
この他にも、本発明としては、例えば、冷房専用空気調和装置２００は、例えば、サーバルーム等の発熱を伴うものや低温に維持される必要がある食品等に対して用いることが挙げられる。
【００８２】
また、冷暖兼用空気調和装置は、例えば、一年を通じて快適な空間を実現すべく用いられる家庭用の場合が挙げられる。
【００８３】
（Ｃ）
上記実施形態の空気調和装置の設定システムでは、メモリ１６に予め空気調和装置の機種に応じた運転操作指示信号のデータが格納されており、これに基づいて汎用リモコン３０の設定状況の正否を判断する場合について例に挙げて説明した。
【００８４】
しかし、本発明はこれに限られるものではなく、例えば、機種の相違が冷暖兼用と冷房専用との相違のみである場合等は、音声報知部１７からの報知は、室内機１と冷房専用室外機３とが接続された冷房専用空気調和装置２００の機種の場合に、汎用リモコン３０から「暖房」運転を示す運転操作指示信号をリモコン対応受信部１４が受信した場合にのみ報知するようにして、各機器をより簡素化させ、コストダウンさせるようにしてもよい。
【産業上の利用可能性】
【００８５】
本発明を利用すれば、室内機に接続されている室外機の種類によって機種が異なる空気調和装置において、機種に応じた操作設定が可能なリモコンを用いて室内機に対して一方向の信号送信を行うだけで、安価に、機種とリモコン設定のマッチングの判断を行うことができるため、特に、室内機に接続されている室外機の種類によって機種が異なる空気調和装置の設定システムとして有用である。
【図面の簡単な説明】
【００８６】
【図１】本発明の空気調和装置の室内機に接続される室外機のバリエーションを示すイメージ図。
【図２】冷暖兼用空気調和装置の外観概略図。
【図３】冷房専用空気調和装置の外観概略図。
【図４】冷暖兼用空気調和装置を例とした冷媒回路の構成図。
【図５】冷暖兼用空気調和装置を例としたブロック構成図。
【図６】冷暖兼用空気調和装置を例としたリモコン設定フローチャート。
【図７】冷暖兼用空気調和装置に対応するように設定された汎用リモコンの図。
【図８】冷房専用空気調和装置に対応するように設定された汎用リモコンの図。
【符号の説明】
【００８７】
１  室内機（汎用室内機）
２  冷暖兼用室外機
３  冷房専用室外機
１３  室外対応受信部
１４  リモコン対応受信部
１５  判断部
１６  メモリ
１７  音声報知部（報知部）
２５  室外送信部
３０  汎用リモコン
３１  リモコン送信部
３９  設定変更スイッチ（設定切り換え部）
４０  制御部
１００  冷暖兼用空気調和装置
２００  冷房専用空気調和装置